【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】    【請求項１】変倍結像光学系及びその像側に配される電子撮像素子を有する電子撮像装置において、前記変倍結像光学系は、物体側より順に、負の屈折力を有する第１レンズ群と、開口絞りと、正の屈折力を有する第２レンズ群と、１つの正レンズ成分からなる第３レンズ群とからなり、各々のレンズ群間隔を変更することにより広角端から望遠端への変倍を行い、広角端から望遠端への変倍に際して、少なくとも前記開口絞りと前記第２レンズ群は一体で物体側にのみ移動し、かつ、前記第３レンズ群は前記第２レンズ群とは異なる軌跡で移動し、かつ、近距離物体への合焦を第３レンズ群の移動により行い、前記第２レンズ群は、物体側から順に、正レンズＬ２１、負レンズＬ２２、正レンズＬ２３、負レンズＬ２４にて構成され、以下の条件（１）を満足することを特徴とする電子撮像装置。    （１）    −０．４＜Ｌ／ｆ2R＜０．９ただし、Ｌは電子撮像素子の有効撮像領域（略矩形）の対角長（ｍｍ）、ｆ2Rは第２レンズ群の正レンズ２３、負レンズＬ２４との合成焦点距離である。    【請求項２】前記第２レンズ群の正レンズＬ２１と負レンズＬ２２とが接合されていることを特徴とする請求項１記載の電子撮像装置。    【請求項３】前記第２レンズ群の正レンズＬ２３と負レンズＬ２４とが接合されていることを特徴とする請求項１又は２記載の電子撮像装置。    【請求項４】以下の条件（２）を満足することを特徴とする請求項２記載の電子撮像装置。    （２）    ０．５＜Ｒ22R ／  Ｒ21F ＜３．０ただし、Ｒ21F 、Ｒ22R はそれぞれ第２レンズ群の正レンズＬ２１の物体側の面、第２レンズ群の負レンズＬ２２の像側の面の光軸上の曲率半径である。    【請求項５】前記条件（１）に代えて以下の条件（１−１）、前記条件（２）に代えて以下の条件（２−１）を満足することを特徴とする請求項４記載の電子撮像装置。    （１−１）  −０．４＜Ｌ／ｆ2R＜０．４    （２−１）  １．０＜Ｒ22R ／  Ｒ21F ＜３．０    【請求項６】前記条件（１）に代えて以下の条件（１−２）、前記条件（２）に代えて以下の条件（２−２）を満足することを特徴とする請求項４記載の電子撮像装置。    （１−２）  ０．４＜Ｌ／ｆ2R＜０．９    （２−２）  ０．５＜Ｒ22R ／  Ｒ21F ＜１．６    【請求項７】以下の条件（３）を満足することを特徴とする請求項３記載の電子撮像装置。    （３）    ０．４＜−Ｒ23R ／ｔ2 ＜１０ただし、Ｒ23R は第２レンズ群の正レンズＬ２３の像側の面の光軸上の曲率半径、ｔ2 は第２レンズ群の最も物体側の面から最も像側の面までの光軸上での厚みである。    【請求項８】以下の条件（４）を満足することを特徴とする請求項１から７の何れか１項記載の電子撮像装置。    （４）    １５＜ν21−ν22＋ν23−ν24＜５０ただし、ν21、ν22、ν23、ν24はそれぞれ第２レンズ群の正レンズＬ２１、負レンズＬ２２、正レンズＬ２３、負レンズＬ２４の媒質のアッベ数（ｄ線基準）である。    【請求項９】前記第２レンズ群の正レンズＬ２３の物体側の面又は負レンズＬ２４の像側の面の少なくとも何れか一方の面が非球面であり、以下の条件を満足することを特徴とする請求項１記載の電子撮像装置。    （１−１）  −０．４＜Ｌ／ｆ2R＜０．４    （５−１）  ８．０×１０-3・Ｌ＞｜Asp2R ｜＞２．０×１０-3・Ｌただし、Asp2R は正レンズＬ２３の物体側の面又は負レンズＬ２４の像側の面の光軸上での曲率半径を有する球面に対し、光軸からの高さが０．３Ｌでの非球面偏倚量である。    【請求項１０】前記第２レンズ群の正レンズＬ２３の物体側の面又は負レンズＬ２４の像側の面の少なくとも何れか一方の面が非球面であり、以下の条件（１−２）及び（５−２）を満足することを特徴とする請求項１記載の電子撮像装置。    （１−２）  ０．４＜Ｌ／ｆ2R＜０．９    （５−２）  ３．０×１０-3・Ｌ＞｜Asp2R ｜≧０ただし、Asp2R は正レンズＬ２３の物体側の面又は負レンズＬ２４の像側の面の光軸上での曲率半径を有する球面に対し、光軸からの高さが０．３Ｌでの非球面偏倚量である。    【請求項１１】以下の条件（１−２）及び（６）を満足することを特徴とする請求項１記載の電子撮像装置。    （１−２）  ０．４＜Ｌ／ｆ2R＜０．９    （６）    ０．０１＜（Ｒ21F −Ｒ22R ）／（Ｒ21F ＋Ｒ22R ）＜０．５ここで、Ｒ21F 、Ｒ22R はそれぞれ第２レンズ群の正レンズＬ２１の物体側の面と負レンズＬ２２の像側の面の光軸上の曲率半径である。    【請求項１２】以下の条件（７）及び（８）を満足することを特徴とする請求項１記載の電子撮像装置。    （７）    −１＜ｆ3 ／ｆ2R＜３    （８）    ０．０３＜ｄ22／Ｌ＜０．８ただし、ｆ2Rとｆ3 はそれぞれ第２レンズ群の正レンズＬ２３と負レンズＬ２４との合成焦点距離と第３レンズ群の焦点距離、ｄ22は第２レンズ群の負レンズＬ２２の像側面と正レンズＬ２３の物体側面との間隔である。    【請求項１３】以下の条件（１−１）を満足し、かつ、前記条件（７）に代えて以下の条件（７−１）を満足することを特徴とする請求項１２記載の電子撮像装置。    （１−１）  −０．４＜Ｌ／ｆ2R＜０．４    （７−１）  −１＜ｆ3 ／ｆ2R＜０．５    【請求項１４】以下の条件（１−２）を満足し、かつ、前記条件（７）に代えて以下の条件（７−２）を満足することを特徴とする請求項１２記載の電子撮像装置。    （１−２）  ０．４＜Ｌ／ｆ2R＜０．９    （７−２）  ０．５＜ｆ3 ／ｆ2R＜３    【請求項１５】以下の条件（１−２）及び条件（９）を満足することを特徴とする請求項１記載の電子撮像装置。    （１−２）  ０．４＜Ｌ／ｆ2R＜０．９    （９）    −２＜（Ｒ23F ＋Ｒ24R ）／（Ｒ23F −Ｒ24R ）＜０ただし、Ｒ23F 、Ｒ24R はそれぞれ第２レンズ群の正レンズＬ２３の物体側の面と負レンズＬ２４の像側の面の光軸上の曲率半径である。    【請求項１６】前記第３レンズ群は１枚の正レンズで構成され、広角端から望遠端に変倍する際に像側に凸の軌跡で移動することを特徴とする請求項１記載の電子撮像装置。    【請求項１７】前記第３レンズ群の最物体側面及び最像側面が共に球面であることを特徴とする請求項１記載の電子撮像装置。    【請求項１８】前記第１レンズ群は、物体側より、負レンズ、正レンズの２枚のレンズにて構成され、前記第１レンズ群の負レンズは非球面を有し、以下の条件（１０）を満足することを特徴とする請求項１記載のズームレンズ。    （10）    ０．２＜ｄ11／Ｌ＜０．６５ただし、ｄ11は第１レンズ群の負レンズと正レンズの光軸上の空気間隔である。    【請求項１９】前記電子撮像素子の有効撮像領域の対角長Ｌが以下の条件を満足することを特徴とする請求項１記載の電子撮像装置。    ３．０ｍｍ＜Ｌ＜１２．０ｍｍ    【請求項２０】前記第３レンズ群はフォーカシング時に単独で移動することを特徴とする請求項１記載の電子撮像装置。    【請求項２１】前記第１レンズ群と前記第２レンズ群との間に配された開口絞りを有することを特徴とする請求項１記載の電子撮像装置。    【請求項２２】前記開口絞りは前記第２レンズ群と一体で移動することを特徴とする請求項２１記載の電子撮像装置。